(57)【特許請求の範囲】
【請求項１】
吊り対象物に備えられた孔を利用して該吊り対象物を吊るのに用いられる吊り治具であって、
前記孔に差し込み可能で、基端側に、吊り手段に連結される吊り連結部が設けられた軸体が備えられ、
該軸体の長さ方向の中間部の一側に、切欠き部が、所定の長さ範囲にわたって設けられると共に、該切欠き部によって、吊り対象物の孔の向こう側の開口周縁部に引っ掛けられる引掛け段部が形成され、
該開口周縁部に引掛け段部を引っ掛けた軸体が孔から抜けるのを阻止する抜止め材が備えられ、
該抜止め材は、抜止め本体部と、該抜止め本体部の基端側に連設された操作部としてのハット状ベース部とを備え、ハット状ベース部に設けられた軸孔に前記軸体が貫通状態に通されることで該軸体に保持されていて、抜止め本体部は、軸体の外周部の切欠き部側とは反対の側において軸体の長さ方向に移動可能で、切欠き部対応領域から軸体の基端側に後退することにより吊り対象物の孔への軸体の進出が許容され、該基端側から切欠き部対応領域側に進出することにより吊り対象物の孔からの軸体の抜けが阻止されるようになされており、かつ、
前記軸体の外周部には、抜止め材のハット状ベース部よりも基端側に位置してコイルバネが外装されると共に、抜止め材の抜止め本体部が切欠き部対応領域側に進出した状態でそれ以上の進出を阻止するストッパー機構が備えられ、抜止め材が、前記バネの付勢力により軸体の先端側に付勢され、ストッパー機構によりストップをかけられることにより、抜止め本体部が軸体の切欠き部対応領域に保持される一方、ハット状ベース部を操作して抜止め材をバネの付勢力に抗して軸体の基端側に移動させることにより、抜止め本体部が切欠き部対応領域から基端側に移動するようになされており、
前記軸体の外周部にその長さ方向に延びるように溝が設けられると共に、ハット状ベース部の側孔に差し込まれたピンの先端部が該溝内に突出することで、前記抜止め材の抜止め本体部が、軸体の外周部の切欠き部側とは反対の側において軸体の長さ方向に移動可能に案内されるようになされており、
バネの付勢力により軸体の先端側に付勢される抜止め材は、前記ピンが溝内の先端側の段部に当接することでストップをかけられるようになされて、該ピンと溝内の先端側の段部とで前記ストッパー機構が構成されており、
前記軸体の通されているハット状ベース部の軸孔は、該ハット状ベース部の軸心位置から軸体外周部の切欠き部の存在する側に偏心して設けられていることを特徴とする吊り治具。
【請求項２】
前記抜止め材の抜止め本体部の先端部が、基端側に向けて外方に傾斜する斜面に形成されている請求項１に記載の吊り治具。
【発明の詳細な説明】
【技術分野】
【０００１】
本発明は、外壁パネルの建方などに用いられる吊り治具に関する。
【背景技術】
【０００２】
例えば外壁パネルの建方において、外壁パネルのパネルフレームの上枠の上面部の左右に備えられているネジ孔にアイボルトを螺合し、吊りワイヤーを該アイボルトに連結し、クレーン等で外壁パネルを吊り上げることは、従来より行われている。
【特許文献１】特開平１０−１４０７１８号公報
【発明の開示】
【発明が解決しようとする課題】
【０００３】
しかしながら、アイボルトでは、ワンサイドアクセスによる脱着は可能であるものの、脱着のためにアイボルトを回さなければならず、脱着作業が厄介で、手間を要するという問題がある。
【０００４】
本発明は、上記のような問題点に鑑み、例えば外壁パネル等の吊り対象物に対する脱着をワンサイドアクセスにより極めて容易に行え、しかも、取付け状態において抜出不能のしっかりとした引掛け状態を形成することができる吊り治具を提供することを課題とする。
【課題を解決するための手段】
【０００５】
上記の課題は、吊り対象物に備えられた孔を利用して該吊り対象物を吊るのに用いられる吊り治具であって、
前記孔に差し込み可能で、基端側に、吊り手段に連結される吊り連結部が設けられた軸体が備えられ、
該軸体の長さ方向の中間部の一側に、切欠き部が、所定の長さ範囲にわたって設けられると共に、該切欠き部によって、吊り対象物の孔の向こう側の開口周縁部に引っ掛けられる引掛け段部が形成され、
該開口周縁部に引掛け段部を引っ掛けた軸体が孔から抜けるのを阻止する抜止め材が備えられ、
該抜止め材は、軸体の外周部の切欠き部側とは反対の側において軸体の長さ方向に移動可能で、切欠き部対応領域から軸体の基端側に後退することにより吊り対象物の孔への軸体の進出が許容され、該基端側から切欠き部対応領域側に進出することにより吊り対象物の孔からの軸体の抜けが阻止されるようになされていることを特徴とする吊り治具によって解決される（第１発明）。
【０００６】
この吊り治具では、吊り対象物への取付けは、軸体を吊り対象物の孔に差し込み、軸体の引掛け段部を孔の向こう側の開口周縁部に引っ掛け、そして、抜止め材を軸体の基端側から切欠き部対応領域側に進出させた状態にするだけでよく、また、吊り対象物からの取外しは、抜止め材を切欠き部対応領域から軸体の基端側に後退させ、引掛け段部を側方に変位させて孔の向こう側の開口周縁部に対する引掛け状態を解除し、そして、軸体を孔から引き抜けばよく、吊り対象物に対する脱着をワンサイドアクセスにより極めて容易に行うことができる。
【０００７】
しかも、吊り対象物に取り付けられた状態では、抜止め材が切欠き部対応領域側に進出した状態となっていることにより、該抜止め材の抜止め作用により、引掛け段部が引掛け位置にしっかりと保持されて抜出不能のしっかりとした引掛け状態を形成することができ、軸体が吊り対象物の孔から不本意に抜けてしまうのを確実に防ぐことができる。
【０００８】
第１発明において、抜止め材は、軸体に保持され、軸体の外周部の切欠き部の側とは反対の側で軸体の長さ方向に移動可能に案内されており、
抜止め材を切欠き部対応領域側に進出させる付勢手段と、
抜止め材が切欠き部対応領域側に進出した状態でそれ以上の進出を阻止するストッパー機構と、
抜止め材に備えられ、抜止め材を切欠き部対応領域側から基端側に後退操作する操作部と
が備えられているとよい（第２発明）。
【０００９】
この構造では、抜止め材が、軸体に保持され、軸体の外周部の切欠き部の側とは反対の側で軸体の長さ方向に移動可能に案内されているので、吊り対象物に対する吊り治具の脱着時の抜止め材に対する操作を容易に行うことができる。
【００１０】
しかも、付勢手段により、吊り対象物への吊り治具の取付けの際に、抜止め材を容易に切欠き部対応領域側に進出させることができると共に、ストッパー機構により、抜止め材が付勢手段による付勢力で軸体の先端部から外れてしまうのを防ぐことができ、また、操作部が備えられていることにより、吊り対象物からの吊り治具の取外しの際に、抜止め材を付勢手段の付勢力に抗して軸体の基端側に容易に移動させることができる。
【００１１】
第２発明において、抜止め材の先端部が、基端側に向けて外方に傾斜する斜面に形成されているとよい（第３発明）。
【００１２】
この場合は、吊り対象物に対する吊り治具の取付けを、吊り対象物の孔に軸体を差し込むだけの簡単な操作で行うことができる。即ち、軸体を吊り対象物の孔に差し込んでいくと、抜止め材の先端部が孔の周囲に当接し、抜止め材は付勢手段の付勢力に抗して軸体の基端側に移動していくが、この移動過程で、軸体の引掛け段部が孔の向こう側の開口から出ると、抜止め材は、先端部の斜面の作用と付勢手段による付勢力とによって先端側、即ち孔の内方に向けて進出していき、それによって、引掛け段部が孔の向こう側の開口周縁部の側に突出して、抜止め状態が形成される。
【発明の効果】
【００１３】
本発明の吊り対象物は、以上のとおりのものであるから、例えば外壁パネル等の吊り対象物に対する脱着をワンサイドアクセスにより極めて容易に行え、しかも、取付け状態において抜出不能のしっかりとした引掛け状態を形成することができる。
【発明を実施するための最良の形態】
【００１４】
次に、本発明の実施最良形態を図面に基づいて説明する。
【００１５】
図１及び図２に示す実施形態の吊り治具１は、図１（イ）に示すように、外壁パネル２を吊り対象物とするもので、外壁パネル２には、外壁面材２ａの背面側に備えられたパネルフレームの上枠２ｂの天面部に孔２ｃが明けられると共に、同上枠２ｂの下面側に、該孔２ｃと同心状態にナット３が溶接等で取り付けられ、上枠２ｂの孔２ｃとナット３のネジ孔３ａとで「吊り対象物に備えられた孔４」が構成されている。なお、ナット３は、外壁パネル２の建方において、外壁パネル２を建物の躯体、例えば軒桁などにボルト接合するのに用いられるものである。
【００１６】
吊り治具１において、５は軸体、６は抜止め材であり、軸体５は、上記の孔４に差し込み可能で、該軸体５の基端部には、リング状の吊り連結部７が設けられると共に、軸体５の長さ方向の中間部の一側には、切欠き部８が、所定の長さ範囲にわたって設けられ、該切欠き部８によって、外壁パネル２の孔４の向こう側の開口周縁部に引っ掛けられる引掛け段部９が形成されている。切欠き部８の長さ寸法は、軸体５が直立状態を保持したまま、軸体５の引掛け段部９が孔４の向こう側の開口周縁部に突出することができるような寸法に設定されている。
【００１７】
抜止め材６は、軸体５の引掛け段部９を外壁パネル２の孔４の向こう側の開口周縁部に引っ掛けた状態で、該軸体５が孔４から基端側に抜けてしまうのを阻止するもので、抜止め本体部６ａと、該抜止め本体部６ａの基端側に連設された操作部としてのハット状ベース部６ｂとを備えている。
【００１８】
抜止め材６は、ハット状ベース部６ｂに設けられた孔６ｃに軸体５が貫通状態に通されることで軸体５に保持されており、軸体５の外周部に長さ方向に延びるように溝５ａが設けられると共に、抜止め材６のハット状ベース部６ｂの側孔６ｄにピン１０が差し込まれ、該ピン１０の先端部が溝５ａ内に突出することで、抜止め本体部６ａは、軸体５の外周部の切欠き部８の側とは反対側の側面部において、軸体５の長さ方向に移動可能に案内されるようになされている。
【００１９】
また、軸体５の外周部には、抜止め材６のハット状ベース部６ｂよりも基端側に付勢手段としてのコイルバネ１２が外装され、該バネ１２の付勢力により、抜止め材６は軸体５の先端側に付勢され、ピン１０が溝５ａ内の先端側の段部１１に当接することによりストップをかけられて、抜止め本体部６ａが軸体５の切欠き部対応領域に保持される一方、ハット状ベース部６ｂを操作して抜止め材６をバネ１２の付勢力に抗して軸体５の基端側に移動させることにより、抜止め本体部６ａを切欠き部対応領域から基端側に移動させることができるようになされている。即ち、上記のピン１０と溝５ａが案内機構を構成し、ピン１０と、溝５ａ内の段部１１がストッパー機構を構成している。５ｂは、軸体５の側に設けられたバネ受けである。
【００２０】
そして、抜止め材６の抜止め本体部６ａの先端部１３は、基端側に向けて外方に傾斜する斜面に形成されている。
【００２１】
上記の吊り治具１では、外壁パネル２への取付けは、次のようにして行うことができる。即ち、図３（イ）に示すように、ハット状ベース部６ｂを手で操作して、抜止め材６をバネ１２の付勢力に抗して軸体５の基端側に移動させ、軸体５の先端側を外壁パネル２の孔４に差し込んでいき、図３（ロ）に示すように、引掛け段部９を孔４の向こう側の開口周縁部の側に突出させて引っ掛けた状態にする。しかる後、図３（ハ）に示すように、抜止め材６をバネ１２の付勢力により先端側に移動させ、抜止め本体部６ａを、外壁パネル２の孔４内において、軸体５の切欠き部対応領域に位置させる。これにより、軸体５は、抜止め本体部６ａの存在によって、引掛け段部９が外壁パネル２の孔４の向こう側の開口周縁部から後退するのを阻止され、吊り治具１は上方への抜けをしっかりと阻止された抜出不能の取付け状態になる。
【００２２】
なお、外壁パネル２は、図３（ニ）に示すように、こうして取り付けられた吊り治具１のリング状吊り連結部７に、吊り手段としてのワイヤー１４を連結すれば、クレーン等により吊り上げることができる。
【００２３】
また、外壁パネル２に対する取付けは、次のようにして行うことも可能である。即ち、図４（イ）に示すように、抜止め材６の抜止め本体部６ａを軸体５の切欠き部対応領域に位置させたまま、吊り治具１をもって、軸体５を外壁パネル２の孔４に差し込んでいく。すると、図４（ロ）に示すように、抜止め材６の抜止め本体部の先端部の斜面１３が孔４の開口周縁部に当接し、抜止め材６は、図４（ハ）に示すように、バネ１２の付勢力に抗して軸体５の基端側に相対移動をしていく。そして、図４（ニ）に示すように、軸体５の引掛け段部９が外壁パネル２の孔４の向こう側の開口部を越えると、抜止め材６は、バネ１２の付勢力と、抜止め本体部６ａの先端斜面１３の作用によって、外壁パネル２の孔４内に進出していき、同時に、軸体５は、抜止め本体部６ａの進出作用によって外壁パネル２の孔４内を側方に押されて、引掛け段部９が外壁パネル２の孔４の向こう側の開口周縁部の側に進出し、抜止め本体部６ａによって戻り阻止の引掛け状態が形成され、吊り治具１は上方への抜けを阻止されたしっかりとした取付け状態になる。
【００２４】
一方、吊り治具１の取外しは、次のようにして行えばよい。即ち、図５（イ）（ロ）に示すように、抜止め材６のハット状ベース部６ｂを手で操作してバネ１２の付勢力に抗して引き上げ、抜止め本体部６ａを、軸体５の切欠き部対応領域から基端側に移動させた状態にし、しかる後、図５（ハ）に示すように、軸体５を側方に傾けるようにして引掛け段部９を外壁パネル２の孔４の向こう側の開口周縁部から開口部側に移動させて引掛け状態を解除し、そして、図５（ニ）に示すよう、吊り治具１を外壁パネル２の孔４から抜き取ればよい。
【００２５】
このように、上記の吊り治具１によれば、外壁パネル２に対する吊り治具の脱着をワンサイドアクセスにより極めて容易に行うことができる。特に、抜止め本体部６ａの先端を斜面１３に形成しているので、図４に示すように、抜止め材６に対する操作を省略し、軸体５を外壁パネル２の孔４に差し込んでいくだけの極めて簡単な操作を行うだけで抜止め状態に取り付けることができる。
【００２６】
以上に、本発明の実施形態を示したが、本発明はこれに限られるものではなく、発明思想を逸脱しない範囲で各種の変更が可能である。例えば、上記の実施形態では、吊り対象物が外壁パネルである場合を示したが、これに限らず、孔が備えられた各種の吊り対象物であってよいし、孔の形態もナットのネジ孔に限らず、軸体の引掛け段部を引掛け可能で抜止め材で抜止め状態にすることができる各種形態の孔であってよい。また、軸体や、吊り連結部、切欠き部、抜止め材等の具体的形態に制限はなく、各種形態をしていてよい。
【図面の簡単な説明】
【００２７】
【図１】実施形態の吊り治具を示すもので、図（イ）は正面図、図（ロ）は部分断面図、図（ハ）は分解正面図、図（ニ）は図（イ）のＩ−Ｉ線断面図である。
【図２】図（イ）及び図（ロ）はそれぞれ、同吊り治具の斜視図である。
【図３】図（イ）〜図（ニ）は外壁パネルへの取付け方法の一つを順次に示す一部断面正面図である。
【図４】図（イ）〜図（ニ）は外壁パネルへの他の取付け方法を順次に示す一部断面正面図である。
【図５】図（イ）〜図（ニ）は外壁パネルからの取付け方法の一つを順次に示す一部断面正面図である。
【符号の説明】
【００２８】
１…吊り治具
２…外壁パネル（吊り対象物）
４…孔
５…軸体
６…抜止め材
６ｂ…ハット状ベース部（操作部）
７…吊り連結部
８…切欠き部
９…引掛け段部
１２…コイルバネ（付勢手段）
１３…斜面
１４…吊りワイヤー（吊り手段）
【図１】
0005362945.tif 000002
【図２】
0005362945.tif 000003
【図３】
0005362945.tif 000004
【図４】
0005362945.tif 000005
【図５】
0005362945.tif 000006